(57)【要約】【課題】外部通信端子と強制空冷流路の排気口が隣接する撮像装置において、外部通信端子カバー開き状態で外部通信端子カバーが排気口を塞ぐ事がなく、かつ端子の抜き差しがしやすい端子カバーの開閉機構を提供すること。【解決手段】外部通信端子を実装した基板と、前記基板上の素子の熱を排熱するダクトと、前記ダクトとともに強制空冷流路を形成するファンが順に配置される撮像装置において、撮像装置本体の１つの側面に、前記外部通信端子と前記ファンの排気口が段差を持って配置され、前記外部通信端子部に開閉可能に設けられる外部通信端子カバーを有し、前記外部通信端子カバーの開状態において、前記外部通信端子カバーは前記段差を形成する斜面に沿って引き出されることを特徴とする。【選択図】図５
2016122083.tif 000002
【特許請求の範囲】
【請求項１】
外部通信端子を実装した基板と、前記基板上の素子の熱を排熱するダクトと、前記ダクトとともに強制空冷流路を形成するファンが順に配置される撮像装置において、
撮像装置本体の１つの側面に、前記外部通信端子と前記ファンの排気口が段差を持って配置され、前記外部通信端子部に開閉可能に設けられる外部通信端子カバーを有し、
前記外部通信端子カバーの開状態において、前記外部通信端子カバーは前記段差を形成する斜面に沿って引き出されることを特徴とする撮像装置。
【請求項２】
前記ダクトは、撮像装置の前記排気口が配置される側に円弧部を有し、前記外部通信端子カバーの引き出しヒンジは、前記外部通信カバーの閉状態において、前記円弧部より外のスペースに収納されることを特徴とする請求項１に記載の撮像装置。
【請求項３】
前記ダクトには、前記引き出しヒンジの抜け止め部が設けられ、
前記外部通信端子カバーが撮像装置側面外側から組み込まれた後、前記ダクトが端子挿抜方向に沿って本体内側に組み込まれることにより、前記抜け止め部がヒンジ引き出し開口部の一部を塞ぐことを特徴とする請求項１又は請求項２に記載の撮像装置。
【発明の詳細な説明】
【技術分野】
【０００１】
本発明は、撮像装置の外部通信端子カバーの開閉機構に関する。
【背景技術】
【０００２】
小型で強制空冷を必要とする撮像装置では、排熱対象となる素子が多数実装されるメイン基板上に外部通信端子が実装されることが多く、必然的に強制空冷流路の排気口が外部通信端子の隣接する位置に配置される。そのため、外部通信端子カバーが排気口を塞ぎやすく、外部通信端子の抜き差しのし易さの両立が困難となる。
【０００３】
また、上記のような外部通信端子と強制空冷流路の排気口が隣接した撮像装置は、外部通信端子カバーの開閉機構を設けるスペースが無いという問題がある。
【０００４】
一方、小型撮像装置に於ける、外部通信端子カバーの開閉機構の例として、特許文献１に示すものがある。この従来の撮像装置では、可動表示ユニット収納部に隣接する外部通信端子カバーの引き出しヒンジを、外部通信端子を挟んで可動表示ユニット収納部と反対位置に配置して、表示ユニットの開閉操作を妨げないようにしたものである。
【先行技術文献】
【特許文献】
【０００５】
【特許文献１】特開２００９−２５６６０号公報
【発明の概要】
【発明が解決しようとする課題】
【０００６】
しかしながら、特許文献１に開示されている構成を強制空冷流路の排気口に隣接した外部通信端子カバーに適用した場合、引き出しヒンジ近傍にカバーを引き出すための指かけ部を設ける必要があり、外部通信端子の配置が撮像装置本体の端部に限定される。そのためメイン基板に強制空冷流路が隣接して外部通信端子を撮像装置本体端部に配置できない場合や、さらに周囲に操作部などが配置される場合、排気を阻害しない端子カバの開閉とユーザ操作の両立が困難となる。
【０００７】
本発明の目的は、外部通信端子と強制空冷流路の排気口が隣接する撮像装置において、外部通信端子カバー開き状態で外部通信端子カバーが排気口を塞ぐ事がなく、かつ端子の抜き差しがしやすい端子カバーの開閉機構を提供することにある。
【課題を解決するための手段】
【０００８】
上記の目的を達成するために、本発明の撮像装置は、外部通信端子を実装した基板と、前記基板上の素子の熱を排熱するダクトと、前記ダクトとともに強制空冷流路を形成するファンが順に配置され、
撮像装置本体の１つの側面に、前記外部通信端子と前記ファンの排気口が段差を持って配置され、前記外部通信端子部に開閉可能に設けられる外部通信端子カバーを有し、
前記外部通信端子カバーの開状態において、前記外部通信端子カバーは前記段差を形成する斜面に沿って引き出されることを特徴とする。
【発明の効果】
【０００９】
本発明によれば、外部通信端子と強制空冷流路の排気口が隣接する撮像装置において、外部通信端子カバー開き状態で外部通信端子カバーが排気口を塞ぐ事がなく、かつ端子の抜き差しがしやすい端子カバーの開閉機構の提供を実現できる。
【図面の簡単な説明】
【００１０】
【図１】本発明の実施例にかかる撮像装置を示す概念図
【図２】本発明の実施例にかかる撮像装置を示す斜視図
【図３】本発明の実施例にかかる撮像装置の、外部通信端子１７とケーブル１８を接続した状態を示す斜視図
【図４】本発明の実施例にかかる撮像装置の別の方向から見た斜視図
【図５】撮像装置の外部通信端子１７−１〜１７−４周辺を示す斜視図
【図６】外部通信端子カバー１９の斜視図
【図７】強制空冷流路１０の構成を示す分解斜視図
【図８】ダクト８を示す図
【図９】ダクトユニット２４を示す分解斜視図
【図１０】ダクトユニット２４の構成部品である樹脂部材２５の一部を説明する斜視図
【図１１】ダクトユニット２４と外部通信端子カバー１９の位置関係を示す斜視図
【図１２】外部通信端子カバー１９を本体に組み込む手順を示す斜視図
【発明を実施するための形態】
【００１１】
以下、本発明を実施するための形態を図面に基づいて説明する。
【００１２】
＜実施形態＞
図１は本発明の実施例にかかる撮像装置を示す概念図である。１はレンズ、２は撮像素子であり、撮像素子２はレンズ１から入力された光学情報を電気情報に変換し、フレキ３を経由してメイン基板４に転送する。メイン基板４では、撮像素子２から送られた電気情報を、表示部５に送ってスルー画として表示させたり、記録部６に送って記録するなどの作業を、必要な処理を行ったうえで実行する。７は上記処理を行う素子である。素子７は上記処理を行うために電力を消費し、発熱する。メイン基板４の後ろには、ダクト８とファン９から成る強制空冷流路１０が配置されている。
【００１３】
強制空冷流路１０は、ファン９によって形成される気流によって、外装１１に設けられた吸気口１２から外気を吸気し、ダクト８に放熱ゴム１３を介して接触する素子７が発する熱を吸い上げ、ファン９を経由して、排気口１４から排熱する。１７はメイン基板に実装された外部通信端子であり、ダクト８を挟んで、排気口１４と隣接している。
【００１４】
図２は本発明の実施例にかかる撮像装置を示す斜視図である。また図３は外部通信端子にケーブルを挿入した状態を示す斜視図であり、撮像装置全体を排気口１４が上になるように回転した状態を示した図である。図２、図３では、後述する外部通信端子カバー１９を非図示としている。撮像装置本体前面にはレンズ１が配置され、光学情報が入力される。本体側面１６には、外部通信端子１７−１〜１７−４が配置され、図３に示すように、外部記録装置や外部表示装置などとケーブル１８を介して通信を行う。排気口１４は、外部通信端子１７−１〜１７−４が設けられる面１５より凸となる位置に設けられる。この凸量は、素子７の熱を排熱するために必要なファンの大きさに依存する。外部通信端子１７−１〜１７−４が設けられる面１５と排気口１４との間は、勾配面２０が設けられている。
【００１５】
図４は本発明の実施例にかかる撮像装置の排気口１４とは反対の側面方向から見た斜視図である。排気口１４とは反対の側面に設けた吸気口１２から外気を吸気し、強制空冷流路１０を通って、撮像装置内部の熱を排気口１４に排熱している。
【００１６】
図５は撮像装置の外部通信端子１７−１〜１７−４周辺を示す斜視図である。特に図５(a)は、外部通信端子１７−１を保護する閉状態の外部通信端子カバー２８、および外部通信端子１７−２〜１７−４を保護する閉状態の外部通信端子カバー１９を図示している。図５(b)は開状態の外部通信端子カバー１９を図示している。図５(c)は開状態の外部通信端子カバー１９を図示し、別の角度から見たものである。図５(b),図５(c)に示すように、外部通信端子１７−２〜１７−４の使用時は、外部通信端子カバー１９を勾配面２０に沿って開口部２６−５から引き出すことで外部通信端子１７−２〜１７−４を露出させ、ケーブルを接続することができる。
【００１７】
図６は外部通信端子カバー１９単体を示す斜視図である。外部通信端子カバー１９は、端子保護部１９−１と引き出しヒンジ根元部１９−２、引き出しヒンジ部１９−３から成る。端子保護部１９−１はケーブル挿抜方向２１に対して直交する面を持つ。
【００１８】
また、端子保護部１９−１から引き出しヒンジの根元部１９−２がケーブル挿抜方向２１に沿って設けられる。引き出しヒンジ根元部１９−２の先端から、さらに引き出しヒンジ部１９−３が、ケーブル挿抜方向２１に対して勾配面２０と略同一の角度を成すように設けられる。この角度によって、外部通信端子カバー１９は、勾配面２０に沿って引き出すことが可能である。引き出しヒンジ部１９−３にはスリット１９−４が設けられ、スリット１９−４の端部にはストッパー１９−５が設けられている。
【００１９】
図７は撮像装置内部のメイン基板４とメイン基板４に実装された素子７から発生する熱を排熱する強制空冷流路１０を詳述する分解斜視図である。特に図７(a)は強制空冷流路１０を形成するファン９を手前にして見た斜視図である。図７(b)はメイン基板４側を手前にして見た斜視図である。また図８はダクト単体を示す図である。前述(概念図1)のように、素子７から発生する熱は、放熱ゴム１３を介して、熱伝導性部材から成るダクト８に移動する。
【００２０】
ダクト８は、吸気口１２から供給される外気を、ダクト８内部に設けられたリブ８−１によって形成される流路に通すことで、ダクト部材内の熱を供給された外気に伝達する。リブ８−１は、吸気口１２から供給した外気が効率良くダクト８全体を流れるように配置される。すなわち、吸気口１２の領域１２−１から流入する外気２２は、直線形状リブ領域８−１−１を経由して、ダクトカバー部材２３の略中央に設けられる開口部２３−１を通って、ファン９に吸い上げられる(矢印Ａ)。
【００２１】
領域１２−２および領域１２−３から流入する外気２２は、それぞれ直線形状リブ領域８−１−２、８−１−３を通った後、円弧形状リブ領域８−１−４、８−１−５を経由して、ダクトカバー部材２３の略中央に設けられる開口部２３−１を通って、ファン９に吸い上げられる(矢印Ｂ、Ｃ)。
【００２２】
円弧形状リブ領域８−１−４、８−１−５より外の領域は、強制空冷流路にとって不要のスペースとなる。本実施例では、後述するようにこのスペースを、外部通信端子カバー１９の閉状態におけるヒンジ部１９−３の収納スペース８−２として用いる。
【００２３】
図９はダクトユニット２４を示す分解斜視図である。ダクトユニット２４は、前述のダクト８とダクトカバー部材２３と樹脂部材２５からなる。図１０は樹脂部材２５の一部を説明する斜視図である。樹脂部材２５には、矩形開口部２５−１と、矩形開口部２５−１内部に係止部２５−２が設けられる。係止部２５−２の端部と矩形開口部２５−１との間には、外部通信端子カバーヒンジ部１９−３の厚さより大きな隙間２５−３が設けられている。
【００２４】
図１１は外部通信端子カバー１９の開閉動作による、ダクトユニット２４と外部通信端子カバー１９の位置関係を示す斜視図である(ダクトカバー部材２３は非図示)。特に図１１(a)は外部通信端子カバー１９が閉状態のときを示し、図１１(b)は外部通信端子カバー１９が開状態の時を示す。図１１(a)、図１１(b)とも内部構造を説明するために、一部をカット(ハッチング部)して表示している。前述のスペース８−２に外部通信端子カバーヒンジ部１９−３が収納される。係止部２５−２は、外部通信端子カバーヒンジ部１９−３のスリット１９−４に挿入されている。また外部通信端子カバー１９が開の状態では、外部通信端子カバーヒンジ部１９−３が収納スペース８−２から引き出され、スリット１９−４の端部に設けられたストッパー１９−５に、樹脂部材２５の係止部２５−２が当接する。
【００２５】
図１２は外部通信端子カバー１９を撮像装置本体に組み込む手順を示す斜視図である。特に図１２(a)は外部通信端子カバー１９を側面筺体２６に組み込み、サブユニット２７を形成することを説明する図である。図１２(b)および図１２(c)はサブユニット２７を撮像装置本体に組み込む過程を説明する図である。図１２(d)はサブユニット２７が撮像装置本体に組み込まれた後の、側面筺体２６と樹脂部材２５の関係を説明する図である。図１２(e)はサブユニット２７が撮像装置本体に組み込まれた後に、外部通信端子カバー１９を開状態にした位置関係を示す図である。
【００２６】
図２で示した本体側面１６に配置される側面筺体２６には、外部通信端子が露出する開口部２６−１〜２６−４と、開口部２６−１〜２６−４に隣接して矩形開口部２６−５が設けられる。外部通信端子カバー１９のヒンジ部１９−３を矩形開口部２６−５に挿入し、外部通信端子カバー１９を閉状態位置に配置して、サブユニット２７を形成する。
【００２７】
図１２(b)を用いて図１２(a)に続き、外部通信端子カバー１９を有するサブユニット２７を撮像装置本体に組み込む手順を示す。サブユニット２７を撮像装置本体に対して、端子挿抜方向２１に沿って組み込む。この時、図１２ (c)に示すように、外部通信端子カバーヒンジ部１９−３は隙間２５−３を通って収納スペース８−２に収納される。サブユニット２７が撮像装置本体に組み込まれると、図１２(d)に示すように係止部２５−２が矩形開口部２６−５を横切るように配置され、外部通信端子カバーヒンジ部１９−３の抜け止めとなる。図１２(e)は、サブユニット２７が撮像装置本体に組み込まれた後の、外部通信端子カバー１９を開状態にした位置関係を示す図である。外部通信端子カバーヒンジ部１９−３のストッパー１９−５が係止部２５−２に当接し、抜け止めとなっていることを示している。
【００２８】
以上のように本実施形態に依れば、外部通信端子と強制空冷流路の排気口が隣接する撮像装置において、外部通信端子カバーの開閉機構の配置スペースを小さくし、かつ外部通信端子カバー開き状態で外部通信端子カバーが排気口を塞がず、かつ端子の抜き差しがしやすいようにすることができる。
【００２９】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００３０】
１  レンズ、２  撮像素子、３  撮像素子とメイン基板を接続するフレキ、
４  メイン基板、５  表示部、６  記録部、７  メイン基板に実装される素子、
８  ダクト、８−１  ダクトのリブ領域、８−１―１  ダクトの直線リブ、
８−１―２  ダクトの直線リブ、８−１―３  ダクトの直線リブ、
８−１―４  ダクトの円弧リブ、８−１―５  ダクトの円弧リブ、
８−２  外部通信端子カバーの引き出しヒンジ収納部、９  ファン、
１０  強制空冷流路、１１  外装、１２  吸気口、１２−１  吸気口、
１２−２  吸気口、１２−３  吸気口、１３  放熱ゴム、１４  排気口、
１５  外部通信端子が設けられる面、１６  撮像装置の側面、
１７  概念図内の外部通信端子、１７−１  外部通信端子の一つ、
１７−２  外部通信端子の一つ、１７−３  外部通信端子の一つ、
１７−４  外部通信端子の一つ、１８  外部通信ケーブル、１９  外部通信端子カバー、
１９−１  外部通信端子カバーの端子保護部、
１９−１  外部通信端子カバーの引き出しヒンジの根元部、
１９−３  外部通信端子カバーの引き出しヒンジ、
１９−４  外部通信端子カバーの引き出しヒンジのスリット、
１９−５  外部通信端子カバーの引き出しヒンジのストッパ、２０  勾配面、
２１  外部通信端子の挿抜方向、２２  外気、２３  ダクトカバー部材、
２３−１  ダクトカバー部材開口部、２４  ダクトユニット、
２５  ダクトユニットの樹脂部材、２５−１  ダクトユニットの樹脂部材開口部、
２５−２  ダクトユニットの樹脂部材係止部、
２５−３  ダクトユニットの樹脂部材開口部内の隙間、２６  側面筺体、
２６−１  側面部材の、外部通信端子が露出する開口部、
２６−２  側面部材の、外部通信端子が露出する開口部、
２６−３  側面部材の、外部通信端子が露出する開口部、
２６−４  側面部材の、外部通信端子が露出する開口部、
２６−５  外部通信端子カバーの引き出し開口部、
２７  外部通信端子カバーを含む、サブユニット、
２８  外部通信端子１７−１を保護する外部通信端子カバー、Ａ  ダクト流路、
Ｂ  ダクト流路、Ｃ  ダクト流路
【図１】
2016122083.tif 000003
【図２】
2016122083.tif 000004
【図３】
2016122083.tif 000005
【図４】
2016122083.tif 000006
【図５】
2016122083.tif 000007
【図６】
2016122083.tif 000008
【図７】
2016122083.tif 000009
【図８】
2016122083.tif 000010
【図９】
2016122083.tif 000011
【図１０】
2016122083.tif 000012
【図１１】
2016122083.tif 000013
【図１２】
2016122083.tif 000014